(57)【特許請求の範囲】
【請求項１】
ボトル類包装機の分別供給装置であって、
ボトル（２、３、４）を、各ボトル（２、３、４）を収容するためのレセプタクルを備えたカルーセル（５）に、供給する手段を、備えており、
カルーセル（５）からボトル（２、３、４）を取り出す手段であって、複数の取出星形コンベヤ（６、７、８、９、１０、１１）を備えた手段を、更に備えており、
取出星形コンベヤ（６、７、８、９、１０、１１）の各々は、カルーセル（５）から取り出されたボトルを、包装機の複数の供給レーン（６ｂ、７ｂ、８ｂ、９ｂ、１０ｂ、１１ｂ）の内の特定のレーンへ、案内するようになっており、
カルーセル（５）の各レセプタクルは、装置（１６ｄ）に連結されたレバー（１６ｃ）を、備えており、
装置（１６ｄ）は、２つの最端位置の間でレバーを移動させる手段を、備えており、
２つの最端位置は、
ボトルを対応するレセプタクルにロックするロック位置と、
ボトルが取出星形コンベヤ（６、７、８、９、１０、１１）に向かってレセプタクルから出ることを許容し、包装機の供給レーン（６ｂ、７ｂ、８ｂ、９ｂ、１０ｂ、１１ｂ）の１つへのアクセスを提供する、開放位置と、であり、
レバー（１６ｃ）を移動させる手段は、レバー（１６ｃ）を前記ロック位置に移動させるようになっており、ボトルが対応するレセプタクルに収容されている位置に配置されたカム（２０）によって、駆動され、
レバー（１６ｃ）を移動させる手段は、特定の取出星形コンベヤに向かってボトルが出ることを許容する前記開放位置に、レバーを移動させるようになっており、１番目から最後から２番目までの取出星形コンベヤ（６、７、８、９、１０）にカルーセル（５）が直面する順でモーター（６ａ、７ａ、８ａ、９ａ、１０ａ）によって駆動され、モーター（６ａ、７ａ、８ａ、９ａ、１０ａ）は、ボトルを欠いている星形コンベヤに連結されたレーン（６ｂ、７ｂ、８ｂ、９ｂ、１０ｂ）から届く信号によって、駆動されており、
カルーセル（５）の各レセプタクルは、レセプタクル内にまだ含まれており且つレバー（１６ｃ）によってもはやロックされていないボトルを、追い出す装置を、更に備えている、
ことを特徴とする装置。
【請求項２】
レバー（１６ｃ）を移動させる手段は、
カルーセル（５）が直面した最後の星形コンベヤ（１１）に向かって、ボトルが出るのを許容する、前記開放位置へ、レバーを移動させるようになっており、
包装機の最後の供給レーン（１１ｂ）へのアクセスを提供し、
全ての先行した星形コンベヤに起こるように、最後のレーン（１１ｂ）から届く信号によって駆動されるモーターによって、駆動される、
請求項１記載の装置。
【請求項３】
レバー（１６ｃ）を移動させる手段は、
カルーセルが直面した最後の星形コンベヤ（１１）に向かって、ボトルが出るのを許容する、前記開放位置へ、レバーを移動させるようになっており、
包装機の最後の供給レーン（１１ｂ）へのアクセスを提供し、
連続的に直面する全てのレバーを開放位置へ移動させることができる機械式カム（２２）によって、駆動される、
請求項１記載の装置。
【請求項４】
カルーセル（５）のレセプタクル内にまだ含まれており且つレバー（１６ｃ）によってもはやロックされていないボトルを、追い出す装置は、対応するレセプタクルに到達するとボトルに接触するパドル（２３）を、備えており、また、パドル（２３）は、弾性手段に連結されており、前記弾性手段は、レセプタクルに挿入されてきたボトルによってパドル（２３）が押されると、緊張するようになっており、これにより、パドル（２３）はレバー（１６ｃ）が開くとボトルを押し出すことができる、
請求項１〜３のいずれか１つに記載の装置。
【発明の詳細な説明】
【技術分野】
【０００１】
本発明は、ボトル類包装機の分別供給装置に関する。
【背景技術】
【０００２】
容器特にボトルの異なる数で構成されたパッケージに、容器特にボトルの群を集めるように構成された、機械が、存在していることは、知られており、そのような機械は、包装機として知られており、それには、シュリンク包装機、箱包装機、その他のタイプのものがある。
【０００３】
最大範囲の個包装は、それらを作り上げる品数に関して、及び、それらの品の配置に関して、区別され、それらは、通常は、多数の同じ品からなる列をなしてグループ化され、包装される容器は、生産されるタイプの包装機に応じて、予めセットされた包装機へ供給される、ことは、明らかである。
【先行技術文献】
【特許文献】
【０００４】
【特許文献１】欧州特許出願番号１２１５３７９１．４
【特許文献２】イタリア特許出願番号ＶＲ２０１３Ａ０００１５５
【発明の概要】
【０００５】
しかしながら、包装機を供給する現在公知の装置は、空間占有に関して大きな寸法を有しており、非常に低い生産レベルを実現する。それ故、本発明の目的は、抑制された空間占有を提供するが、良好なレベルの生産性を達成できる、装置を、考案することである。
【０００６】
以下の記載から明らかになる本発明の前記目的及び他の目的は、ボトル類包装機の分別供給装置によって実現され、本発明によれば、前記ボトル類は種々の断面形状を有することができ、本発明の装置は、添付の請求項に基づく特徴を備えている。
【０００７】
更なる特徴及び利点が、本発明の好ましいが排他的ではない実施形態の記載から明らかであり、それは、添付図面の非限定的な実施例によって示されている。
【図面の簡単な説明】
【０００８】
【図１】装置の全体図である。
【図２】装置のカルーセルを示す図である。
【図３】装置の詳細を示す図である。
【図４】装置の詳細を示す図である。
【図５】部分的に上ディスクが除かれた装置の平面図である。
【図６】部分的に上ディスクが除かれた装置の平面図である。
【発明を実施するための形態】
【０００９】
図において、符号１は、概ね、ボトル２、３、４等をカルーセル５へ供給する星形コンベヤを、示している。星形コンベヤ１は、供給手段に含まれており、その詳細は、以下に説明される。
【００１０】
図６に明確に示されているように、カルーセル５からボトルを取出す手段もある。その取出手段は、取出星形コンベヤ６、７、８、９、１０、１１を備えており、そのコンベヤの各々は、包装機の複数の供給レーン６ｂ、７ｂ、８ｂ、９ｂ、１０ｂ、１１ｂの内の特定のレーンにボトルを案内するようになっている。
【００１１】
カルーセル５は、中心軸１２を備えている。中心軸１２は、上端１２ａでディスク１３を支持している。ディスク１３には、カラム１４ａ、１４ｂ、１４ｃ、１４ｄ、１４ｅ、１４ｆが連結されており、それらは、重畳リングを支持している。重畳リングは、より正確には、上金属リング１５、下金属リング１７、及びリング１９である。
・上金属リング１５の周辺領域には、フォーマット変更を実行するために、プラスチックリング１６が着脱自在に固定されている。プラスチックリング１６は、各ボトルを収容するための多数のレセプタクル１６ａ等を、備えている。
・下金属リング１７の周辺領域には、フォーマット変更のためのプラスチックリング１８が着脱自在に固定されている。プラスチックリング１８は、リング１６のレセプタクル１６ａに対応したレセプタクル１８ａ等を、備えている。
・リング１９は、ボトル２を支持する。
【００１２】
カルーセル５の各レセプタクル、例えば図１、３に示されているレセプタクル１６ｂ、１８ｂは、レバー例えばそのレセプタクル用レバー１６ｃを、備えている。レバーは、装置例えばレバー１６ｃ用装置１６ｄに連結されており、装置１６ｄ自体は、同じ出願人による特許出願番号ＥＰ１２１５３７９１．４に開示されており公知である。装置１６ｄは、ディスク１５の下面に固定されており、２つの最端位置の間でレバーを移動させる手段を、備えている。２つの最端位置は、第１の水平最端位置及び第２の垂直開放最端位置である。第１の水平最端位置は、図１、３、４で見ることができ、ボトル２を対応するレセプタクルにロックする位置である。第２の垂直開放最端位置は、ボトルがレセプタクルから前述の取出星形コンベヤの１つに向かって出ることを許容する位置である。
【００１３】
個々のレバーを移動させるための、装置１６ｄに含まれている移動手段は、レバーを開放位置からロック位置へ移動させるために、カム２０による公知の方法で駆動される。
【００１４】
星形コンベヤ１によって運ばれたボトルがカルーセル５のレセプタクル内に完全に収容された状態となった位置で、カム２０は、固定ディスク２１に配置されて固定されている。
【００１５】
個々のレバーを移動させるための、装置１６ｄ等に含まれている移動手段は、レバーを開放位置へ移動させるために、ボトルが第１の５つの星形コンベヤ６、７、８、９、１０の１つに向かって出ることを許容する第１従来方法で、駆動され、及び、レバーを開放してボトルが星形コンベヤ１１に向かって出ることを許容するための第２従来方法で、駆動される。
【００１６】
ボトルが星形コンベヤ６、７、８、９、１０の１つに向かって出ることに関する第１従来方法では、各星形コンベヤに対して、固定ディスク２１に固定されたモーターがあり、それらの各々には、符号６ａ、７ａ、８ａ、９ａ、１０ａが付されている。モーターは、レバーを、対応する星形コンベヤに向かって、開放させる。また、モーターは、ボトルを欠いているレーン６ｂ、７ｂ、８ｂ、９ｂ、１０ｂの１つから夫々届く信号によって、駆動される。
【００１７】
しかしながら、レーン１１ｂの星形コンベヤ１１に関して、第２従来駆動手段は、レバー１６ｃを開放位置へ移動させるために、機械式カム２２の存在を含んでいる。機械式カム２２は、前述の５つのモーターに対して連続して、固定ディスク２１に固定されており、作動に係る記載の箇所で説明される。
【００１８】
最後に、カルーセル５の各レセプタクルに対して、依然としてレセプタクル内にあり且つもはやレバーでロックされていないボトルを、追い出す装置があり、それは、例えば、パドルを備えている。パドルは、例えば図４のパドル２３に起こるように、レセプタクルに挿入されてきたボトルによって押されると、移動し、それにより、下部スプリングを緊張させる。下部スプリングは、図３の複数のスプリング２４等からなり、また、パドルと一体であるクランク２５等に作用する。スプリングは、例えば図４のパドル２３に起こるように、ボトルがレバーによって保持されている限り、ボトル２に対して緊張状態のままであり、ボトルが出るのを可能とするためにレバーが下げられると、ボトルの排出を実行するパドルに、作用する。
【００１９】
本発明の作動について、特に図６を参照して説明する。
【００２０】
星形コンベヤ１で運ばれたボトルは、カルーセル５に受け入れられ、また、カム２２によって開放された全てのレバーに直面しながら、そのレセプタクル内に連続して収容され、そして、レバーは、直ぐにカム２０によって閉じられる。ボトルは、例えばボトル２のように、各レバーによって対応するレセプタクル内にロックされ、追い出し装置のパドル２３によってレバーに対して押された状態で、進み、それにより、取出し星形コンベヤ６、７、８、９、１０、１１の領域に到達する。
【００２１】
レーン６ｂがボトルを欠いていることを知らせる検出信号が、レーン６ｂからモーター６ａに届き、その場合において、同じモーターが、ボトル４を所定位置にロックしたレバーを、開放すると、ボトル４は、図６に示されるように、対応する追い出し装置によって押されて、レーン６ｂへのアクセスを提供する星形コンベヤ６のレセプタクルに運ばれる。
【００２２】
ボトル４に続くボトル３に対応するレバーも、レーン６ｂからの信号の繰り返しで、モーター６ａによって開放され、この場合には、ボトル３も、星形コンベヤ６によって取出される。しかし、レーン７ｂ、８ｂ、９ｂ、１０ｂの１つに由来してモーター７ａ、８ａ、９ａ、１０ａに届く信号が、ボトルに必要とされるので、レバーは、後続の星形コンベヤ７、８、９、１０の１つで開放されるために、閉じたままである。
【００２３】
モーターのいずれも信号によって駆動されないことが起こる場合もある。この場合には、レバーは、常時起こることであるが、レーン１１ｂへのアクセスを得ているボトルと共に、機械式カム２２で開く。このようにして、例えば後続のモーター６ａの不完全作動を起こすかもしれないが、作動の完全な正確さを保証するために、カルーセル５が完全に空であるという必須条件が、保証される。
【００２４】
しかしながら、実施形態の変形例としてモーター６ａを組み込み、続いて、星形コンベヤ１１を同様に供給することは、前記のような保証条件なしでも、可能である。
【００２５】
このように考えられた本発明は、多くの変更及び変形を許容でき、それらの全ては、添付の請求項の範囲内である。例えば、包装機へ供給するためのレーンの数は幾つでもよい。例えば、スプリング２４は、異なる弾性手段と置き換えてもよい。
【００２６】
イタリア特許出願番号ＶＲ２０１３Ａ０００１５５の開示に基づく本発明の請求項の優先権は、参照することによって、ここに組み込まれる。
【００２７】
請求項の技術的特徴で参照符号が付されている場合、参照符号は、請求項の理解度を増すためにのみ、付されており、したがって、そのような参照符号は、参照符号により実施例のために特定された各要素の解釈に、限定的効果を及ぼさない。
【図１】
0006423422.tif 000002
【図２】
0006423422.tif 000003
【図３】
0006423422.tif 000004
【図４】
0006423422.tif 000005
【図５】
0006423422.tif 000006
【図６】
0006423422.tif 000007